(57)【要約】【課題】  回転体の周面にて停留している遊技球の動きを活発にすることにより、演出効果を大きくすることができるパチンコ機を実現する。【解決手段】  回転体入賞装置２０のカバー３０に形成された開口部から受入れられた遊技球Ｐは、カバー３０の内部にて回転する回転体５０の外周面５１に支持され、開口部に停留した状態になる。そして、遊技球Ｐは外周面５１に形成された溝５２，５３に嵌り込むと、開口部に停留した状態で溝に沿って転動し、溝間に形成された仕切部５４に乗り上げると、次の溝に嵌り込む。つまり、遊技者から見ると、遊技球Ｐは開口部にて前後および上下方向へ移動し、活発に動いている様子が見える。【選択図】  図５
2008005980.tif 000002
【特許請求の範囲】
【請求項１】
遊技領域に設けられており、前記遊技領域を流下する遊技球を受入れる開口部を周面に有する筒状のカバーと、
このカバーの内側に設けられており、外周面を前記カバーの内周面に対向させながら回転する回転体とを備えており、
前記回転体の外周面と前記カバーの開口部の端部とによって、前記開口部に受入れられた遊技球を前記開口部内に停留させるように構成されており、
前記回転体の外周面には、前記回転体が所定角度回転したときに前記開口部と連通し、前記開口部に停留している遊技球を受入れるとともに、その受入れられた遊技球を保持した状態で回転に伴って運ぶ保持部が備えられたパチンコ機において、
前記回転体の前記保持部を除く外周面には、その外周面および前記開口部の端部によって支持されており、前記開口部内に停留している遊技球を、前記回転体の回転に伴って前後および上下方向へ移動させる凹凸形状が形成されていることを特徴とするパチンコ機。
【請求項２】
前記凹凸形状は、
前記保持部を除く外周面において前記回転体の回転方向と交差する方向に形成されており、前記外周面に支持されている遊技球の支持位置を下げさせるとともに前後方向へ移動させる溝と、この溝および前記保持部が形成されていない部分とで形成されていることを特徴とする請求項１に記載のパチンコ機。
【請求項３】
前記凹凸形状は、
前記外周面の前端から後端へ傾斜する第１面と、前記外周面の後端から前端へ傾斜する第２面とで形成されていることを特徴とする請求項１に記載のパチンコ機。
【発明の詳細な説明】
【技術分野】
【０００１】
この発明は、遊技領域を流下する遊技球を受入れて回転方向に運ぶ回転体を備えたパチンコ機に関する。
【背景技術】
【０００２】
従来、この種のパチンコ機として、いわゆる権利物と呼ばれるパチンコ機（第３種パチンコ機）が知られている。図８は、そのパチンコ機に備えられた遊技盤の正面説明図であり、図９は、図８に示すパチンコ機に備えられた回転振分装置の正面拡大図である。遊技盤５００へ発射された遊技球が始動口５０１に入賞すると、図柄表示装置５０２が横方向に配列された３つの表示領域にて複数の図柄をそれぞれ変動表示する。そして、変動開始から所定時間経過すると各表示領域にて所定の図柄が停止し、各停止した図柄の組合せが特定の態様（例えば３３３など）に揃うと特別入賞口５０３が所定の開閉パターンで開閉する。特別入賞口５０３の内部には、Ｖ入賞口５０４が設けられており、そのＶ入賞口５０４に入賞すると、権利が発生する。
【０００３】
そして、遊技球を右打ちし、遊技球が回転振分装置６００に設けられた遊技球待機部６０４に停留すると、その遊技球は、常時回転している回転体６０１の周面に形成された凹部６０３に受入れられる。続いて、その遊技球は回転体６０１によって運ばれ、回転体６０１の裏面側に設けられた第３種始動口６０２から流出すると、所定の検出スイッチにより検出され、可動翼片６０５，６０５が開放動作し、大入賞口６０６，６０６が開口する。大入賞口の開口から所定時間経過したという条件、大入賞口へ所定個数入賞したという条件のどちらかが満足されると可動翼片６０５，６０５が閉成動作し、大入賞口６０６，６０６が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口５０４に入賞した場合も大当り遊技が終了となる。
【０００４】
【特許文献１】特開２００２−３０１２１７号公報（第７９〜８１段落、図１、図２）
【発明の開示】
【発明が解決しようとする課題】
【０００５】
しかし、前述した従来のパチンコ機は、回転体６０１の縦断面形状が円形であるため、遊技球待機部６０４に停留している遊技球の動きが乏しいので、演出効果が小さいという問題がある。
【０００６】
そこでこの発明は、上述の問題を解決するためになされたものであり、回転体の周面にて停留している遊技球の動きを活発にすることにより、演出効果を大きくすることができるパチンコ機を実現することを目的とする。
【課題を解決するための手段】
【０００７】
この発明は、上記目的を達成するため、請求項１に記載の発明では、遊技領域（８）に設けられており、前記遊技領域を流下する遊技球（Ｐ）を受入れる開口部（３３）を周面（３１）に有する筒状のカバー（３０）と、このカバーの内側に設けられており、外周面（５１，７１）を前記カバーの内周面に対向させながら回転する回転体（５０，７０）とを備えており、前記回転体の外周面と前記カバーの開口部の端部（３２）とによって、前記開口部に受入れられた遊技球を前記開口部内に停留させるように構成されており、前記回転体の外周面には、前記回転体が所定角度回転したときに前記開口部と連通し、前記開口部に停留している遊技球を受入れるとともに、その受入れられた遊技球を保持した状態で回転に伴って運ぶ保持部（５５）が備えられたパチンコ機（１）において、前記回転体の前記保持部を除く外周面には、その外周面および前記開口部の端部によって支持されており、前記開口部内に停留している遊技球を、前記回転体の回転に伴って前後および上下方向へ移動させる凹凸形状（５２〜５４，７４，７５）が形成されているという技術的手段を用いる。
【０００８】
カバーの開口部内に停留している遊技球は、回転体の保持部を除く外周面に形成された凹凸形状により、回転体の回転に伴って前後および上下方向へ移動するため、その動きによって演出効果を大きくすることができる。
【０００９】
請求項２に記載の発明では、請求項１に記載のパチンコ機（１）において、前記凹凸形状（５２〜５４）は、前記保持部（５５）を除く外周面において前記回転体（５０）の回転方向と交差する方向に形成されており、前記外周面に支持されている遊技球（Ｐ）の支持位置を下げさせるとともに前後方向へ移動させる溝（５２，５３）と、この溝および前記保持部が形成されていない部分（５４）とで形成されているという技術的手段を用いる。
【００１０】
カバーの開口部内に停留しており、回転体の保持部を除く外周面によって支持されている遊技球は、回転体が回転すると、やがて回転体の外周面に形成された溝に嵌り込み、外周面によって支持されていた支持位置を下げるとともに溝に沿って前後方向へ移動する。そして、さらに回転体の回転が進むと、溝に嵌り込んでいた遊技球は、溝および保持部が形成されていない部分へ離脱し、支持位置を上げる。
つまり、カバーの開口部内に停留している遊技球は、回転体の保持部を除く外周面に形成された溝と、この溝および保持部が形成されていない部分とによって、前後および上下方向へ移動するため、その動きによって演出効果を大きくすることができる。
【００１１】
請求項３に記載の発明では、請求項１に記載のパチンコ機（１）において、前記凹凸形状（７４，７５）は、前記外周面（７１）の前端（７７）から後端（７８）へ傾斜する第１面（７５）と、前記外周面の後端から前端へ傾斜する第２面（７４）とで形成されているという技術的手段を用いる。
【００１２】
カバーの開口部内に停留している遊技球は、回転体の外周面に形成された第１面に乗ると、後方へ転動するとともに回転体の外周面による支持位置を下げ、第２面に乗ると前方へ転動するとともに支持位置を上げる。
つまり、回転体の前方から見ると、カバーの開口部内に停留している遊技球は、回転体の回転に伴って、前後および上下方向へ移動するため、その動きによって演出効果を大きくすることができる。
【００１３】
なお、上記の括弧内の符号は、後述する実施形態との対応関係を示すものである。
【発明を実施するための最良の形態】
【００１４】
＜第１実施形態＞
［全体の主要構成］
この発明の第１実施形態に係るパチンコ機の主要構成について図１を参照して説明する。図１は、そのパチンコ機の外観を正面から見た概略説明図である。
図１に示すように、パチンコ機１には、外殻を構成する前枠２が設けられており、その前枠２にはガラス枠３が開閉可能に取付けられている。ガラス枠３の内側には遊技盤５が設けられており、前枠２の前面右下方には、遊技盤５へ遊技球を発射する発射装置を操作する発射レバー４が回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
【００１５】
［遊技盤の主要構成］
次に、遊技盤５の主要構成について図２を参照して説明する。図２は遊技盤５を正面から見た概略説明図である。
遊技盤５には、図柄表示装置９が配置されており、図柄表示装置９の下方には、始動口１０が配置されている。始動口１０の下方には、特別入賞口１７を開閉する開閉扉１６を有する電動役物１５が配置されている。図柄表示装置９の右方には、回転体入賞装置２０が配置されており、回転体入賞装置２０の下方には、大入賞口を開閉する大入賞口扉１９を備えた変動入賞装置１８が配置されている。
その他、遊技盤５には、入賞口１１、遊技球の流下方向を変化させるための風車１２、発射された遊技球を遊技盤５上の遊技領域へ案内する案内レール１３、どこにも入賞しなかった遊技球をアウト球として回収するアウト口１４などが設けられている。なお、図示しないが、遊技盤５の盤面には、多くの遊技釘が打ち込まれており、発射された遊技球は遊技釘に衝突することによって流下方向が変化する。
【００１６】
［回転体入賞装置２０の構成］
次に、回転体入賞装置２０の構成について図３ないし図５を参照して説明する。
図３は、回転体入賞装置２０の斜視図である。図４は、図３に示す回転体入賞装置２０を構成する回転体の斜視図である。図５は、カバーの開口部に遊技球が停留している状態の回転体入賞装置２０の説明図であり、（ａ）は回転体のみ縦断面で示す回転体入賞装置２０の正面図、（ｂ）はカバーを透視して見た回転体入賞装置２０の側面図である。
【００１７】
図３に示すように、回転体入賞装置２０は、カバー３０と、カバー３０の内部に回転可能に配置された回転体５０と、回転体５０を回転させるモータ８０とを備える。カバー３０の周面３１には、上方から流下してきた遊技球を受入れるための開口部３３が開口形成されている。開口部３３を規定する相対向する端部３２，３２間の幅は、遊技球をようやく１個受入れることができる大きさである。また、カバー３０は、後面が開口した円筒形状に形成されており、その周面に開口部３３が形成されている。この実施形態では、カバー３０は透明の合成樹脂により形成されており、内部の回転体５０が回転する様子や遊技球が保持されている状態などを外部から見ることができるようになっている。この実施形態では、回転体５０は時計回りに回転する。
【００１８】
図４に示すように、回転体５０は、概略円柱形状に形成されており、その外周面５１には、遊技球を受入れて保持可能な保持部５５が形成されている。保持部５５は、外周面５１から回転中心に向けて窪んだ断面Ｕ字形状に形成されており、保持された遊技球の頭部が外周面５１から突出しない大きさに形成されている。保持部５５を除く外周面には、溝５２，５３が形成されている。各溝の内壁面は、遊技球Ｐの外面形状に合致した形状であって、溝に嵌り込んだ遊技球Ｐが溝の延びる方向へ転動可能に形成されている。また、図５（ａ）に示すように、各溝は、保持部５５よりも浅く形成されており、遊技球Ｐの下部が嵌り込んだ際に、遊技球Ｐの頭部がカバー３０の開口部３３から上方へ突出する大きさに形成されている。
【００１９】
図４に示すように、保持部５５の開口部が上方を向いている状態において、保持部５５の右側には溝５２が形成されている。保持部５５の開口端５５ａは断面円弧状に切欠き形成されており、その切欠部分が溝５２の一端５２ａになっている。つまり、溝５２の一端５２ａは、保持部５５の開口端５５ａと共有状態になっており、溝５２の一端５２ａが保持部５５の上部空間と連通している。
溝５２は、外周面５１の前方から後方へ、回転体５０の回転方向と斜めに交差する方向に延びた曲線部５２ｃと、回転体５０の回転方向と同じ方向へ延びた直線部５２ｄとから構成される。これにより、溝５２の一端５２ａは、外周面５１の前方に位置し、他端５２ｂは外周面５１の後方に位置している。
【００２０】
溝５２と、この溝５２に隣接する溝５３との間には、溝５２，５３および保持部５５が形成されていない部分が、各溝間の仕切部５４として形成されている。つまり、回転体５０の外周面５１には、溝５２，５３および仕切部５４により、凹凸形状が形成されている。
図５（ｂ）に示すように、溝５３は、溝５２よりも長く形成されており、両端に直線部５３ｄを有し、直線部５３ｄ間に曲線部５３ｃを有する。また、溝５２，５３の各端部は、仕切部５４を挟んで同じ位置に存在しており、各溝は、仕切部５４を挟んで連続状に形成されている。
【００２１】
取付板６０には、回転体５０の保持部５５によって運ばれた遊技球Ｐを遊技盤５の裏面へ流出させるための第３種始動口２１が前後方向に貫通形成されている。また、第３種始動口２１に対応する遊技盤５には、第３種始動口２１を通過した遊技球を遊技盤５の裏面へ流出させる流出口（図示せず）が前後方向に貫通形成されている。図５（ａ）に示すように、第３種始動口２１は、保持部５５が描く軌跡上に形成されており、この実施形態では、保持部５５が左上に到達したときに保持部５５と連通し、保持部５５に保持されている遊技球Ｐが第３種始動口２１から遊技盤５の裏面へ流出する。
【００２２】
カバー３０の後端は、取付板６０の前面に固定されており、取付板６０には、モータ８０の回転シャフト（図示せず）を挿通する挿通孔（図示せず）が前後方向に貫通形成されている。その挿通孔から前方へ突出した回転シャフトは、回転体５０の後面に挿入固定されている。取付板６０の周囲には、取付板６０を遊技盤５の前面に固定するためのネジを挿通する複数のネジ挿通孔６１が前後方向に貫通形成されている。モータ８０の後部には、モータ８０を遊技盤５の裏面所定個所に固定するための固定部材８１が取付けられており、その固定部材８１には、固定部材８１を遊技盤５の裏面所定個所に固定するためのネジを挿通するネジ挿通孔８２が前後方向に貫通形成された固定片８３が形成されている。モータ８０は、遊技盤５の裏面側に固定され、その回転シャフトは、遊技盤５に挿通され、取付板６０の挿通孔を通って回転体５０の後面に挿入固定される。
【００２３】
［遊技の流れおよび回転体入賞装置２０の動作］
回転体５０は、常時一定速度（例えば、１０秒で１回転）で時計回りに回転している。遊技領域８を流下する遊技球が始動口１０に入賞すると、図柄表示装置９が複数の表示領域（例えば、横方向に配列された３つの表示領域）にて複数の図柄をそれぞれ変動表示する。そして、変動開始から所定時間経過すると各表示領域にて所定の図柄が停止し、各停止した図柄の組合せが特定の態様（例えば３３３など）に揃うと電動役物１５が作動し、開閉扉１６が所定の開閉パターンで開閉する。そして、特別入賞口１７に入賞した遊技球が、特別入賞口１７の内部に配置されたＶ入賞口（図示せず）に入賞すると、権利が発生する。
【００２４】
そして、遊技球を右打ちし、遊技球がカバー３０の開口部３３から受入れられると、図５（ａ）に示すように、その遊技球Ｐの下部は、回転体５０の外周面５１に支持されるとともに、側部は、カバー３０の開口部３３の端部３２に当接した状態になり、開口部３３内に停留する。このとき、開口部３３内に停留している遊技球Ｐが回転体５０の外周面５１に形成された溝に嵌り込むと、開口部３３内に停留したままの状態で溝に沿って転動する。つまり、各溝５２，５３は、それぞれ曲線部５２ｃ，５３ｃを有するため、遊技球Ｐが各曲線部に沿って転動すると、パチンコ機１の前方に座った遊技者から見ると、遊技球Ｐが前後方向へ移動する様子が見える。
【００２５】
そして、仕切部５４が遊技球Ｐの下部に到達すると、遊技球Ｐは溝から離脱し、仕切部５４の上に乗った状態になる。つまり、遊技者から見ると、回転体５０が遊技球Ｐを支持している位置が上がった様子が見える。そして、再び、遊技球Ｐが次の溝に嵌り込むと、遊技球Ｐの支持位置が下がった様子が見える。
つまり、カバー３０の開口部３３に停留している遊技球Ｐは、回転体５０の回転に伴って、溝５２，５３に沿って転動したり、仕切部５４の上に乗ったりするため、遊技者から見ると、遊技球Ｐが前後および上下方向へ移動する様子が見える。
従って、カバーの開口部から受入れられた遊技球が、保持部に保持されるまで回転体の外周面上の定位置にて停留しているだけの状況を見慣れて、単調でつまらなく感じていた遊技者も、遊技球Ｐが回転体５０の外周面５１で前後および上下に活発に動く様子を見ることにより、従来にはない遊技の新鮮さを感じることになる。また、遊技球Ｐの活発な動きが、遊技の進行に何か変化をもたらすのではないかとか、遊技者の利益に繋がるのではないかなど、色々と想像させることができる一方、遊技球Ｐが仕切部５４の上に乗った時は、その頭部がカバー３０の開口部３３から上方へ突出する度合いが大きくなり、かつ、移動状態にあるため、後から流下してきた遊技球Ｐが衝突した場合に開口部３３からはじき出される危険性も生じるので、ハラハラドキドキ感も味わうことができる。また、仕切部５４は回転体の外周面５１の回転方向に一定角度（この実施形態では９０度）毎に配設されており、遊技球Ｐは、一定時間（この実施形態では約２．５秒）間隔で突出するため、開口部３３から保持部５５に落ちるまでの時間的目安として利用することもできる。
【００２６】
そして、回転体５０の保持部５５がカバー３０の開口部３３と一致すると、開口部３３内に停留していた遊技球Ｐは、保持部５５の中に落ち、保持部５５に保持された状態で、回転体５０によって運ばれる。そして、保持部５５が第３種始動口２１と一致すると、保持部５５に保持されていた遊技球Ｐが第３種始動口２１から流出し、所定の検出スイッチ（始動口スイッチ）により検出され、変動入賞装置１８が作動し、大入賞口扉１９が開放され、大入賞口が開口する。大入賞口の開口から所定時間経過したという条件、大入賞口へ所定個数入賞したという条件のどちらかが満足されると大入賞口扉１９が閉成され、大入賞口が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口に入賞した場合も大当り遊技が終了となる。
【００２７】
［第１実施形態の効果］
（１）以上のように、上記第１実施形態のパチンコ機１を使用すれば、カバー３０の開口部３３内に停留している遊技球Ｐは、回転体５０の保持部５５を除く外周面に形成された溝５２，５３および仕切部５４からなる凹凸形状により、回転体５０の回転に伴って前後および上下方向へ活発に移動するため、その動きによって演出効果を大きくすることができる。
（２）また、遊技球Ｐは、開口部３３内に停留している間は、回転体５０の回転に伴って前後および上下方向へ活発に移動するため、停留しているか否かの判別をよりし易くすることができる。
（３）さらに、仕切部５４を一定間隔で設けたことにより、開口部３３内に停留している遊技球Ｐが保持部５５に落ちるまでの時間の目安となり、大入賞口扉１９が開口するまでの不要な発射球を節約できる。
【００２８】
＜第２実施形態＞
次に、この発明の第２実施形態について図６および図７を参照して説明する。
図６は、この実施形態に係るパチンコ機に備えられた回転体入賞装置２０を構成する回転体の斜視図である。図７は、カバーの開口部に遊技球が停留している状態の回転体入賞装置２０の説明図であり、（ａ）は回転体入賞装置２０の正面図、（ｂ）はカバーを透視して見た回転体入賞装置２０の側面図である。なお、この実施形態のパチンコ機は、回転体の構造以外は前述の第１実施形態と同じ構成および機能であるため、その同じ部分の説明は簡略化または省略し、同じ構成については同じ符号を用いて説明する。
【００２９】
図６に示すように、回転体７０の外周面７１には、前述の回転体５０の保持部５５と略同じ形状および大きさの保持部７３が形成されている。保持部７３を除く外周面７１には、外周面７１の前端７７から後端７８へ傾斜する第１面７５と、外周面７１の後端７８から前端７７へ傾斜する第２面７４とからなる凹凸形状が形成されている。
この実施形態では、第１面７５は、外周面７１の前端７７に底辺７５ａを有し、後端７８に頂点を有する三角形に形成されており、第２面７４は、外周面７１の後端７８に底辺７４ａを有し、前端７７に頂点を有する三角形に形成されている。
【００３０】
連続形成された２つの第１面７５により区画された部分は、底面を前方に向け、頂点を後方に向けた四角錐の４面のうちの２面を露出させたような形状を形成している。また、連続形成された２つの第２面７４により区画された部分は、底面を後方に向け、頂点を前方に向けた四角錐の４面のうちの２面を露出させたような形状を形成している。別の表現をすると、外周面７１は、先端が尖った歯を有する略歯車形状を呈しており、先端が後方へ傾斜した歯と、前方へ傾斜した歯とが交互に形成されている。
連続形成された２つの第１面７５の境界線７５ｂは後方へ傾斜しており、連続形成された第２面７４の境界線７４ｂは前方へ傾斜している。
【００３１】
図７に示すように、カバー３０の開口部３３内に遊技球Ｐが停留している状態において、回転体７０が時計回りに回転すると、遊技球Ｐに対して、第１面７５および第２面７４が交互に到達する。遊技球Ｐは、第１面７５の上に乗ると、第１面７５は後方へ傾斜しているため後方へ転動し、回転体７０の外周面７１の遊技球Ｐに対する支持位置が下がる。また、第２面７４の上に乗ると、第２面７４は前方へ傾斜しているため前方へ転動し、支持位置が上がる。つまり、遊技球Ｐは、第１面７５および第２面７４に交互に乗るため、前後および上下方向への移動を繰り返す。そして、保持部７３が開口部３３と一致すると、外周面７１に支持されていた遊技球Ｐは保持部７３の内部に落ち、保持部７３に保持された状態で運ばれ、保持部７３が第３種始動口２１と一致すると、第３種始動口２１から遊技盤５の裏面へ流出する。
【００３２】
［第２実施形態の効果］
（１）以上のように、上記第２実施形態のパチンコ機１を使用すれば、カバー３０の開口部３３内に停留している遊技球Ｐは、回転体７０の保持部７３を除く外周面に形成された第１面７５および第２面７４からなる凹凸形状により、回転体７０の回転に伴って前後および上下方向へ短い周期で活発に移動するため、視点をそらしていてもカバー３０の開口部３３内に停留している遊技球Ｐの存在を認識することができる。
（２）また、開口部３３内に停留している遊技球Ｐに視点を置けば、その細かく揺れる動きによって演出効果を大きくすることができる。
【００３３】
＜他の実施形態＞
（１）第１実施形態における回転体５０の溝の内部に凸部を形成することもできる。この構成によれば、溝に沿って転動する遊技球が途中で上下動するため、遊技球の動きをより一層活発にすることができる。
（２）また、溝を複数に分割して形成するのではなく、連続形成し、溝の所々に凸部を形成することもできる。また、溝の深さを所々変えてもよい。これらの構成によっても第１実施形態と同じ効果を奏することができる。
【００３４】
（３）さらに、溝は、遊技球の下部が嵌り込む大きさに形成する必要はなく、遊技球を前後方向に誘導することができれば、遊技球の下部の両側２箇所が当接する大きさでよい。
（４）回転体５０の外周面５１から凹んだ溝を形成するのではなく、外周面５１に相対向する２本の突条を形成し、それら突条間の所々に凸部を形成する。そして、各突条間で遊技球を前後方向へ誘導し、凸部を通過したときに上下動させることもできる。これらの構成によっても第１実施形態と同じ効果を奏することができる。
【００３５】
（５）回転体の外周面に複数の凸部を形成し、遊技球が各凸部によって前後および上下方向へランダムに移動するように形成することもできる。また、複数の凸部に代えて、複数の凹部を形成してもよい。これらの構成によれば、遊技球の動きがランダムになり、予測が付かないという効果を奏することができる。
（６）第２実施形態における回転体７０の外周面７１に形成された第１面７５および第２面７４を不連続に形成することもできる。この構成の場合も第２実施形態と同じ効果を奏することができる。
【００３６】
（７）第１実施形態の溝５２，５３と、第２実施形態の第１面７５および第２面７４とを組み合わせることもできる。この構成の場合も第１または第２実施形態と同じ効果を奏することができる。
（８）回転体の材質は合成樹脂など、特に限定されないが、ゴムなどの弾性部材によって形成することにより、回転体の外周面における遊技球の動きをより一層活発にすることができる。この場合、回転体全部を弾性部材によって形成してもよいし、外周面のみを弾性部材によって形成してもよい。
【００３７】
（９）回転体入賞装置２０を始動口１０に代えて配置することもできる。この場合、取付板６０に形成された第３種始動口２１が始動口１０の役割をする。また、この構成を採用する場合は、始動口１０に対応する遊技盤５に流出口を貫通形成し、始動口１０から流出した遊技球を遊技盤５の裏面に配置された検出スイッチの検出領域へ流下させるように構成する。
【００３８】
（１０）前述の各実施形態では、この発明のパチンコ機として、権利物と呼ばれるパチンコ機を代表にして説明したが、遊技球が始動口に入賞すると、図柄表示装置が図柄の変動表示を開始し、図柄表示装置により大当り図柄が確定表示された場合に大当りが発生し、大入賞口を開閉する変動入賞装置が作動するパチンコ機において、始動口に代えて、回転体入賞装置２０を配置することもできる。
【図面の簡単な説明】
【００３９】
【図１】この発明の実施形態に係るパチンコ機の外観を正面から見た説明図である。
【図２】図１に示すパチンコ機に備えられた遊技盤５を正面から見た概略説明図である。
【図３】回転体入賞装置２０の斜視図である。
【図４】図３に示す回転体入賞装置２０を構成する回転体の斜視図である。
【図５】カバーの開口部に遊技球が停留している状態の回転体入賞装置２０の説明図であり、（ａ）は回転体のみ縦断面で示す回転体入賞装置２０の正面図、（ｂ）はカバーを透視して見た回転体入賞装置２０の側面図である。
【図６】第２実施形態に係るパチンコ機に備えられた回転体入賞装置２０を構成する回転体の斜視図である。
【図７】カバーの開口部に遊技球が停留している状態の回転体入賞装置２０の説明図であり、（ａ）は回転体入賞装置２０の正面図、（ｂ）はカバーを透視して見た回転体入賞装置２０の側面図である。
【図８】従来のパチンコ機に備えられた遊技盤の正面説明図である。
【図９】図８に示すパチンコ機に備えられた回転振分装置の正面拡大図である。
【符号の説明】
【００４０】
１・・パチンコ機、３０・・カバー、３１・・周面、３２・・端部、３３・・開口部、
５０・・回転体、５１・・外周面、５２，５３・・溝、５４・・仕切部。
【図１】
2008005980.tif 000003
【図２】
2008005980.tif 000004
【図３】
2008005980.tif 000005
【図４】
2008005980.tif 000006
【図５】
2008005980.tif 000007
【図６】
2008005980.tif 000008
【図７】
2008005980.tif 000009
【図８】
2008005980.tif 000010
【図９】
2008005980.tif 000011